(57)【要約】      （修正有）【課題】安全で、創造性がある知育の遊具を提供する。【解決手段】矩形の平面部１１と略同形の平面部１２の一辺を１２０度の角度で開いて連結し、その連結した辺の内側に肉厚部１４を形成した屈折部１３とし、平面部１１と平面部１２の背面に周囲に平坦部を形成して突条のストッパーを設ける。屈折部に孔を穿設して鎖やロープ等の接続手段を設ける。【選択図】図１
0003177253.tif 000002
【実用新案登録請求の範囲】
【請求項１】
矩形の平面部（１１）と略同形の平面部（１２）の一辺を１２０度の角度で開いて連結して屈折部（１３）を形成し、その連結した辺の内側に肉厚部（１４）を形成し、前記平面部（１１）と平面部（１２）の背面に突条のストッパー（１７）を設けたことを特徴とする遊具。
【請求項２】
長方形の平面部（１１）と略同形の平面部（１２）の長手一辺を１２０度の角度で開いて連結して屈折部（１３）を形成し、その連結した辺の内側に肉厚部（１４）を形成し、その肉厚部（１４）に孔（１５）を穿設して接続手段（１６）を設け、前記平面部（１１）と平面部（１２）の背面に突条のストッパー（１７）を設け、四隅を角丸に形成し、前記接続手段（１６）を所定設置場所の固定部（１８）に可動に連結しその個所を基点として自在に動けるようにしたことを特徴とする遊具。
【請求項３】
前記突条のストッパー（１７）は、平面部（１１）と平面部（１２）の背面に、端から内側の位置で周囲に平坦面を残して設けられた請求項１又は請求項２のいずれかに記載の遊具。
【請求項４】
請求項２に記載の遊具を、２個以上組み合わせて配置したもので、相互にそれぞれの固定部（１８）を基点として接続手段（１６）で自在に動けるように間隔をおいて配置してなることを特徴とする遊具。
【請求項５】
前記遊具の接続手段（１６）は、遊具本体（１）の孔（１５）に可動に連結され、その接続手段（１６）は配置場所の地表付近に配置したステンレスのネット（１９）を通過させて地中の固定部（１８）に接続してあり、その個所を基点として自在に動けるようにしたことを特徴とする請求項２又は請求項４のいずれかに記載の遊具。
【考案の詳細な説明】
【技術分野】
【０００１】
本考案は、幼児の遊具に関するものである。
特に３歳から６歳位までの幼児の知育のための遊具を提供する
【０００２】
本考案は、公園等に設置する固定遊具、室内の可動遊具にもでき、幼児の身体鍛錬及び知育創造性の向上に効果があり、安全性を併せ持った遊具に関するものである。
【背景技術】
【０００３】
従来の公園の幼児用とされる遊具は、滑り台や築山など、１０歳前後の子どもの身体活動等を標準に造られ導入されているものが多かった。
時代の変遷とともに幼児向き（３〜６歳向き）の遊具が設置され始めたが、その数や種類は限定的である。
公園遊具は、管理上の都合もあり、原則全部が固定遊具である。
【０００４】
このように、保育所や公園に設置される遊具は、固定遊具で、１０歳児前後を対象にしたものが多い。
そのため、３歳〜６歳位の幼児にとっては、その高さや大きさの点だけでも安全面の要件を満たさない遊具が散在する状況にある。
幼児が遊ぶ遊具は、公園や保育所等において、遊具につかまり立ちや遊具を転がしたり、持ち上げたり、あるいは遊具から飛び降りたりするなどの動作を前提としている。
遊具は、幼児の手元や足元あるいは顔や頭部などの身体に接触する物品であるので万全の安全性が要請されている。
【０００５】
そのような前提において使用される幼児用遊具は、企画段階やテストの段階から安全面には特に厳しく開発することが求められる器具である。
通常の遊具は地面や床に固定することで、安定性および安全性を担保しているが、しかし、固定遊具は可動性・自由性に欠けるため、幼児が創意工夫して遊ぶ機会を制約しているのではないかという問題点がある。
そのため、固定遊具でもある程度の可動性自由性が求められている。
【０００６】
固定遊具は子どもの関わりはあっても、自由性に限度があり、幼児が創意工夫の力を協同して十分に発揮することは困難である。
遊具においても、保育所保育指針に基づく自発的、意欲的で協同的に関われる環境構成の中で、好奇心と創意工夫のもとに遊びを協同的に展開できる環境を求められている。
遊具には、発育年齢に応じたその知育の自由性と安全性が求められる。
【０００７】
本考案の遊具は、可動遊具であり、接続手段で固定遊具にもなる構成の遊具であり、３〜６歳の知育に有効な自由性のある遊具である。
この意味では、先行遊具は、見当たらないが、先行文献としては、揺れる木馬遊具を提示する。
【先行技術文献】
【特許文献】
【０００８】
【特許文献１】実開平０６−０６６７８１
【考案の概要】
【考案が解決しようとする課題】
【０００９】
従来の固定遊具は、上述の通り、幼児が創意工夫して遊ぶ意欲、つまりは好奇心や自発性を向上させることは期待できない。
【００１０】
本考案は、幼児が遊具を動かしたり、組み合わせたりしてみることで、創意工夫する知育の発達に欠くことのできない好奇心や自発性を向上させる遊具を提供することを課題とする。
【課題を解決するための手段】
【００１１】
本件考案者は、具体的課題として遊具として求められる安全かつ、創意的で幼児の知育発達を目指した特徴を持つことを掲げ、課題の解決に臨んだ。
【００１２】
上記課題を解決するために本考案では、幼児が自分の力で少しでも移動させたり、動かしたり、乗ったり、揺らしたり、合わせたりして、自主的に遊びを創出できる遊具を案出した。
遊具は、矩形の平面部（平面板体）と略同形の平面部（平面板体）の一辺を１２０度の角度で開いて連結し、その連結した辺の内側に肉厚部を形成し、前記平面部と平面部の背面に突条のストッパーを設けた構成とした。
肉厚部は強度の要請に叶う補強効果がある。
【００１３】
ストッパーは、一定の高さを有する突条で、背面の外側に端から内側の場所に設けられていて、周囲に平坦面を残して設けられていて、遊具を滑らせないし、幼児の足を挟むこともない。
【００１４】
さらに遊具は、前記辺が連結する肉厚部の端部側の湾曲角部に孔を穿設している。
その孔に接続手段を設けて、所定設置場所の固定部に可動に連結しその個所を基点としてある範囲を自在に動ける構造とした。
孔は、固定の態様に応じて、１個所或いは２個所に設ける。
【００１５】
前記遊具の接続手段は、遊具本体の孔に可動に連結されたビニロンロープとか硬質樹脂製や金属製の鎖であって、鎖等は配置場所の地表付近に埋設配置した地面保護のための防錆ステンレスのネットを通過させて地中の固定部に接続してあり、その個所を基点として接続手段で可動に自在に動けるように取り付けられる。
遊具への接続手段の取り付け態様は重要であり、遊具の揺動等の動きになるべく影響しない態様、動きを制約しない態様で取り付けられる。
金属製鎖は、外れることが少なく管理上は安定しているが若干かさ張ってしまう。
ロープ類は、その素材からして遊具の動きには自由性がある。交換時期を適正に管理すれば好ましい素材である。
【００１６】
本件考案の遊具は、可動遊具として又は所定固定部への接続手段を設けることで固定遊具として遊ぶことができ、一個で遊ぶこともできる遊具であるが、二個以上の組み合わせで遊ぶこともできる。
一個単体で遊ぶときは、固定部に連結しないで、置くだけでもよい。
例えば三個を平面視で、三角形の角部に配置するとか、四個を四角形の角部に配置して遊ばせる。
二個以上の組み合わせの配置は、相互にそれぞれの固定部を基点として、最大可動域で接触しないで自在に動けるように間隔をおいて配置する。
自由度があり、知育に有効である。
【考案の効果】
【００１７】
本考案の遊具は、上記構成であるので、次のような技術的効果がある。
【００１８】
本考案の遊具は、矩形の平面板体と略同形の平面板体の一辺を１２０度の角度で開いて連結し、側面視で「く」の字状に屈折した二つの平面部（平面板体）を有するもので、幼児が乗って揺らしたり、腰を合わせて座ったり、立てたり回したりして、幼児が安全に遊べるものである。
【００１９】
重量や大きさの設計を重ね、その連結した辺の内側に肉厚部を設けて屈折内角面を平坦にして鋭い角部を無くして、前記平面部（平面板体）の四隅を角丸に形成して、安全性を高めている。
【００２０】
二つの平面部（平面板体）は直接幼児が触る遊具であるので、どのような動きや姿勢でも、どの個所も安全であることが要請される。
時には不意の力が加わって顔や腹部に接触することがあるので、素材や縁部の処理や角を丸めることで、安全性を高めた。
【００２１】
また、二枚の平面部（平面板体）を連結した辺の内側に肉厚部を形成したので、
屈折内角に平坦部が形成されて、幼児が連結角部分に足をとられて転倒するのを防ぐことができる。
【００２２】
さらに、平面部（平面板体）の背面に突条のストッパーを設けた。
これは、横臥状態の遊具全体が滑って動くことを防ぎ、その突条のストッパーには高さと周囲の余裕（平坦部）があるために、前記平面部（平面板体）が倒れた際に幼児の足や手を挟むことや当接することを防いでいる。
また前記平面部（平面板体）と地面との間に隙間を生じさせて、幼児が前記平面部（平面板体）の縁を握りやすくする作用もある。
【００２３】
さらに、本考案においては、遊具を２個以上組み合わせて遊ばせることで、組み合わせの遊具となる。
２個以上を準備して固定しないで、幼児の創造力にまかせて遊ばせることができる。
【００２４】
２個以上配置される遊具は、相互にそれぞれの固定部を基点として自在に動けるように配置して固定遊具として提供できる。
各固定遊具は、ある程度間隔をおいて接触しないように配置する。
これにより、幼児は他のもう一方の遊具との相関関連を構築して、より創造的な空間を形成して遊ぶことが可能になる。
また、もう一方の遊具で遊ぶ幼児と協同的あるいは競争的な遊びを自発的に創造することも考えられる。
【００２５】
前記遊具の接続手段は、遊具本体の孔に可動に連結されたロープや鎖であって、鎖等は設置場所の地表付近に配置したステンレスのネットを通過させて地中の固定部に接続してあり、その固定部である一か所を基点として自在に動けるようにしている。
公園の固定遊具としての使用が可能である。
【００２６】
これらの構成により、幼児が遊具本体を立てる、横にする、回す等の動作が可能であり、遊具に制約されない自由さが享受できる。
これらの動作を繰り返す過程で、幼児の身体的機能、とりわけ筋肉の発達を助けることができる。
さらに、既述の可動性により、幼児が工夫して様々な動きを創造し実践することができ遊びが発展していく。
幼児期の発達段階，利用状況，利用頻度等に応じ必要な数，規模，設置位置等を変化させることができ、幼児の興味や関心，遊びの変化等に応じ遊具の再配置ができ、幼児のみで利用しても十分な安全性及び耐久性を備えている。
安全点検も容易である。
遊具は、３〜６歳位の幼児の知育が主たる目的であるので、遊び方を制約することがない簡単な構造であることが必要であるが、一方創造的な遊びができるような形態であることも重要であり、本考案の遊具は、両者を備えた構造になっている。
【図面の簡単な説明】
【００２７】
【図１】本考案に係る遊具の実施例１を示す斜視図である。固定紐を屈折部の内側に取付けたものである。
【図２】本考案に係る遊具の実施例１を示す斜視図であって、固定紐を屈折部の外側に付けたものである。
【図３】同じく本考案に係る遊具の実施例１を示す斜視図である。
【図４】同じく実施例１を示すもので、平面部（平面板体）と平面部（平面板体）の一辺を１２０度の角度で開いて連結した状態を示す側面図である。
【図５】図５は、固定手段の一例で、地中に全方向に回動するユニバーサルジョイント（ボール）を備えた固定部を埋設したものを示す断面図である。
【図６】本考案に係る遊具の実施例２を示すもので、屈折部と平面部を別部品として作成し組み立て結合した遊具を示す斜視図である。
【図７】本考案に係る遊具の実施例１を４個、地面に横臥させて設置した遊具で、その各遊具の距離間隔を例示した平面図である。
【図８】同じく本考案に係る遊具の実施例１を示すもので、４個の遊具接続手段を下方にして「く」の字の側縁を下にして立てた配置を例示した斜視図である。
【図９】同じく実施例１を示すもので、年長の幼児が遊具に乗って遊ぶ使用態様を示す斜視図である。
【図１０】同じく実施例１を示すもので、年少の幼児が遊具に乗って遊ぶ使用態様を示す斜視図である。
【考案を実施するための形態】
【００２８】
次にこの考案の実施形態を説明する。
遊具の基本構成は、矩形の平面部（平面板体）と略同形の平面部（平面板体）の一辺を１２０度の角度で開いて連結し、その連結した辺の内側に肉厚部を形成し、前記平面部（平面板体）と平面部（平面板体）の背面に突条のストッパーを設けたことを特徴とする。
【００２９】
遊具には、固定遊具とするための接続手段が設けられる。
遊具の接続手段は、遊具本体の孔に可動に連結されたロープ又は鎖であって、鎖等は配置場所の固定部に接続してあり、その個所を基点として自在に動けるようにしている。
また遊具は２個以上組み合わせて配置でき、相互にそれぞれの固定部を基点として自在に動けるように間隔をおいて配置して使用する。
【実施例１】
【００３０】
次にこの考案にかかる遊具の実施例を図面に基づいて説明する。
図１は本考案に係る遊具の実施例１を示す斜視図である。
実施例１は、矩形の平面部（平面板体）（１１）と略同形の平面部（平面板体）（１２）の一辺を１２０度の角度で開いて連結し、屈折部（１３）を形成し、その連結した辺の内側に肉厚部（１４）を形成し、前記平面部（１１）と平面部（１２）の背面の外側には端から内側の場所に周囲に平坦面（余裕）を残して突条のストッパー（１７）を設けたことを特徴とする遊具（１）である。
【００３１】
遊具（１）の屈折角度１２０度は、幼児が寄り掛かり座り、寝転んでも起き上がれ、体を回して向きを変えることができ、上に乗って立つこともできる角度である。
１２０度の屈折角度は、上向きに開いておいても、下向きに伏せても、幼児が乗りやすく、安定している。
遊具本体（１）は一体成型物として作成されている。
強化合成樹脂や軽量な木材を材質として作成できる。
平面部（平面板体）（１１）（１２）は、１枚が、横４５ｃｍ、長手辺＝縦６０ｃｍ、厚さ１，５ｃｍの大きさで、２枚をその長手辺を合わせた形であり、一辺を１２０度の角度で開いて連結して、屈折部（１３）を形成している。
その連結した辺の内側に肉厚部（１４）を形成している。
【００３２】
図３や図８の背面が見える図で表すように、前記平面部（平面板体）（１１）と平面部（平面板体）（１２）の背面には平面部の長手辺側に位置し左右及び長手辺側に余裕をもって、角形突条のストッパー（１７）を設けている。
ストッパー（１７）は、実施例１では、横３，０ｃｍ、長手辺＝縦４９ｃｍ、厚さ３，０ｃｍである。
ストッパー（１７）はその左右と平面部の長手辺側に、略５，５Ｃｍ程度の平坦部＝余裕をもって取り付けられる。
可動遊具として使用するときは、この形態で遊ぶことができる。
【００３３】
固定遊具とするために、固定部（１８）への接続手段（１６）である鎖を、前記屈折部（１３）の内側に取り付けている。
鎖（１６）を屈折部（１３）の内側に取り付けて固定部（１８）に繋いでいる。
鎖は遊具（１）本体の屈折部（１３）の背面には出ないので、例えばこの屈折部（１３）を床に付けて揺動するときはデコボコしないことになる。
接続手段（１６）は、屈折部（１３）に取り付けられるが、なるべく太くない鎖やロープで、小さな留具（１６１）が選ばれる。
【００３４】
図２は同じく本考案に係る遊具の実施例１を示す斜視図である。
図２の遊具の実施例１は、長方形の平面部（１１）と略同形の平面部（１２）の一辺を１２０度の角度で開いて連結し、屈折部（１３）を形成し、その連結した辺の内側に肉厚部（１４）を形成し、前記平面部（１１）と平面部（１２）の背面の外側には端から内側の場所に周囲に平坦面（余裕）を残して突条のストッパー（１７）を設け、固定遊具として接続手段（１６）を設けたものである。
全体を中空合成樹脂で作成している。軽量化を図り，十分な強度に設計されている。
【００３５】
肉厚部（１４）は、屈折角度を緩やかにして、そこに幼児が足を置いて乗っても足を置きやすくなる構造である。
１２０度の開き具合は、幼児が足を開いて両足を載せて、揺らす動作ができる角度であり、寝転んで背中に両平面部（１１）（１２）を背負っても負荷の少ない角度である。
【００３６】
前記平面部（平面板体）（１１）と平面部（平面板体）（１２）の背面には平面部の長手辺側に位置し左右及び長手辺側に余裕をもって、角形突条のストッパー（１７）を設けている。
ストッパー（１７）は、その左右と平面部の長手辺側に余裕をもって取り付けることで、幼児がそこに指を掛けて動かすことができ、或いは地面に置いた時に足を挟むことがない余裕を周囲に作る。
ストッパー（１７）は、地面や床に置くときは、その突条の縁が接地する。
【００３７】
接続手段（１６）は、肉厚部（１４）を備えた屈折部（１３）に孔（１５）を穿設して、屈折部（１３）の内側に留具（１６１）を埋め込み、背面外側から鎖を連結して設けている。
屈折部（１３）の内側は、湾曲平坦面となっている。突起物がないので内側全面が座り込んだり寝そべったりできる遊びの面になる。
鎖は、金属製である。相応の強度や非分離構造が要請される。
接続手段（１６）は、金属製の鎖のほか、硬質樹脂製の鎖やビニロンロープとか強度のある樹脂製や炭素繊維のロープでもよい。
【００３８】
図３は遊具（１）の実施例１を縦に立てた状態を示す斜視図である。
平面部（平面板体）（１１）（１２）とストッパー（１７）の四隅は角丸に形成している。基本的に全ての部分で角部は角丸加工している。
【００３９】
前記肉厚部（１４）を備えた屈折部（１３）の端部側の湾曲角部に孔（１５）を穿設して鎖やロープなどの固定紐＝接続手段（１６）を設けている。
前記接続手段（１６）は所定設置場所の固定部（１８）に可動に連結しその一か所を基点として自在に動けるようにした。
【００４０】
接続手段（１６）の先端は留具（１６１）を施していて、肉厚部（１４）に形成された孔（１５）に挿し込み、ネジにより固定する。
前記接続手段（１６）が固定部（１８）から露出している長さは１８，５ｃｍ〜２０ｃｍ程度が好適である。
また前記接続手段（１６）の材質は、ビニロンロープ又は硬質樹脂製や金属製の鎖（１６）が好適である。
【００４１】
図４は、遊具（１）の側面視であり、肉厚部（１４）を備えた屈折部（１３）の端部側の湾曲角部に孔（１５）を穿設して固定紐＝接続手段（１６）を設けている。
前記接続手段（１６）は、ビニロンロープとか硬質樹脂製や金属製の鎖であって、鎖等は配置場所の地表付近に埋設配置した地面保護のためのステンレスのネットを通過させて地中の固定部（１８）に接続している。
【００４２】
図５は固定部（１８）の他の構造を示す断面図である。
地中に全方向に自由回動するユニバーサルジョイント（ボール）を備えた固定部（１８）を埋設したものである。
遊具を固定具に接続するときにより自由な動きを保証する接続になる。
【００４３】
図６は、後述する実施例２で平面部（平面板体）（１１）（１２）と屈折部を別部品として組み立て成形の構造としたものである。
遊具は、孔（１５）を備えた中間屈折部（１４０）と２枚の平面部（平面板体）（１１）（１２）で構成される。中間屈折部（１４０）は１２０度開いた差し込み溝（１４１）（１４２）を左右に設けたものである。
屈折部と平面部を別部品として作成しているので、製造保管に便利である。
【００４４】
図７は、複数の遊具（１）を設置して組み合わせの遊具とした使用例で、４個の遊具の距離間隔を例示した平面図である。
遊具（１）は相互にそれぞれの固定部（１８）を基点として自在に動けるように間隔をおいて配置して用いる。
その可動範囲は図示の通り、固定部（１８）から平面部（平面板体）（１１）（１２）の外側の角までを半径とした円を描くことになる。
そして、其々の円と円の距離をＡ、Ｂ、Ｃ及びＤで示した。
図７ではＡ、Ｂ、Ｃ及びＤの距離はスクエアの等間隔としたが、必ずしもそれに限定されることはなく、円が接触しない程度の距離を保てばよい。
実施例の間隔は、３０ｃｍ位である。
【００４５】
図８は４個の立てた状態の遊具本体（１）の配置を例示した斜視図である。
遊具本体（１）を複数並べることにより、遊具で遊ぶ幼児同士が協同的あるいは競争的な遊びを自発的に創造することが期待できる。
【００４６】
図９、図１０は遊具の使用態様を示す斜視図である。
幼児は遊具本体（１）を立てる、横にする、ぐるりと３６０度回転するなどの様々な動かし方を試みることができる。
【実施例２】
【００４７】
図６は本考案の遊具の実施例２を示す斜視図である。
実施例２は、二枚の平面部（平面板体）（１１）、（１２）と中間屈折部（１４０）とを別部品として組み立てる構造としたものである。
中間屈折部（１４０）は、肉厚な屈折部に、１２０度開いた差し込み溝（１４１）（１４２）を左右に連設したものである。
中間屈折部（１４１）は、中間に屈折部を備え、この屈折部の長手辺の左右の差し込み溝＝握持部（１４１）（１４２）に、平面部（平面板体）（１１）（１２）を差し込み保持固着する。
また、肉厚な屈折部（１４）に孔（１５）を両端部２カ所に形成して、いずれか一方又は２か所に接続手段（１６）を接続できる構成とした。
【００４８】
２個所の孔に接続手段を設けて固定する方法では、可動性がやや制限されるが、遊具本体を立てないで使用させたい場合、すなわち、より安全面を強調する際には用いられる。
又、一方の孔（１５）を利用して、左右いずれかを固定する場合は、設置個所を選択できるので、環境に応じた設置が可能である。
【００４９】
以上の実施例１・２の寸法は、あくまで実施例であり、素材によって厚みが変更されたり、幼児の年少年長の体格差にあわせて、微細な寸法の変更は予想できる。
【産業上の利用可能性】
【００５０】
公園に設置してある遊具などを使い外で遊ぶことは、協調性や広視野による立ち位置の認識などで、知育に不可欠な要素であると言われている。
それとともに幼児教育に創造性や協同性を採りいれる事の重要性を唱える教育者や保護者等が増えつつある状況をみると、野外での幼児の遊びにはより安全で両者（創造性・協同性）を知育できる遊具の開発が急務である。
本考案の遊具は、簡明な構成で、家庭用の知育遊具としても、公園や、屋外の固定遊具としても活用でき、又大きさによっては運動遊具としても利用でき、広く幼児用品として産業上の利用可能性がある。
【符号の説明】
【００５１】
１          遊具（本体）
１１        平面部（平面板体）
１２        平面部（平面板体）
１３        屈折部
１４        肉厚部
１５        孔
１６        接続手段（鎖  ロープ  固定紐）
１７        ストッパー
１８        固定部
１９        ステンレスのネット
【図１】
0003177253.tif 000003
【図２】
0003177253.tif 000004
【図３】
0003177253.tif 000005
【図４】
0003177253.tif 000006
【図５】
0003177253.tif 000007
【図６】
0003177253.tif 000008
【図７】
0003177253.tif 000009
【図８】
0003177253.tif 000010
【図９】
0003177253.tif 000011
【図１０】
0003177253.tif 000012
【手続補正書】
【提出日】平成24年5月24日(2012.5.24)
【手続補正１】
【補正対象書類名】実用新案登録請求の範囲
【補正対象項目名】全文
【補正方法】変更
【補正の内容】
【実用新案登録請求の範囲】
【請求項１】
矩形の平面部（１１）と略同形の平面部（１２）の一辺を１２０度の角度で開いて連結して屈折部（１３）を形成し、その連結した辺の内側に肉厚部（１４）を形成し、前記平面部（１１）と平面部（１２）の背面に突条のストッパー（１７）を設けたことを特徴とする遊具。
【請求項２】
長方形の平面部（１１）と略同形の平面部（１２）の長手一辺を１２０度の角度で開いて連結して屈折部（１３）を形成し、その連結した辺の内側に肉厚部（１４）を形成し、その肉厚部（１４）に孔（１５）を穿設して接続手段（１６）を設け、前記平面部（１１）と平面部（１２）の背面に突条のストッパー（１７）を設け、前記平面部（１１）と前記平面部（１２）の四隅を角丸に形成し、前記接続手段（１６）を所定設置場所の固定部（１８）に可動に連結しその個所を基点として自在に動けるようにしたことを特徴とする遊具。
【請求項３】
前記突条のストッパー（１７）は、平面部（１１）と平面部（１２）の背面に、端から内側の位置で周囲に平坦面を残して設けられた請求項１又は請求項２のいずれかに記載の遊具。
【請求項４】
請求項２に記載の遊具を、２個以上組み合わせて配置したもので、相互にそれぞれの固定部（１８）を基点として接続手段（１６）で自在に動けるように間隔をおいて配置してなることを特徴とする遊具。
【請求項５】
前記遊具の接続手段（１６）は、遊具本体（１）の孔（１５）に可動に連結され、その接続手段（１６）は配置場所の地表付近に配置したステンレスのネットを通過させて地中の固定部（１８）に接続してあり、その個所を基点として自在に動けるようにしたことを特徴とする請求項２又は請求項４のいずれかに記載の遊具。